(57)【要約】【課題】複雑な立体構造であっても組み立てが可能になる模型キットの技術の提供。【解決手段】完成時、棒状の第１パーツ５０は、第２パーツ６０の有する一対の棒状部６１，６２の間に挟まれる既定位置関係に位置することとなる。これを実現するために、先ず、第２パーツ６０を支持する支持部７０を、側面の係合部７２が、右側面パーツ３２のスライド保持部３７の後方寄りの第１ポジションＰ１に位置するように１次組み付けし、第１パーツ５０の組み付け経路から第２パーツ６０を待避させて干渉が起きないようにする。そして、第１パーツ５０の組み付け後に、支持部７０ごと第２パーツ６０を、スライド保持部３７に沿って前方の第２ポジションＰ２にスライドさせる。これにより、組み付け済みの第１パーツ５０が棒状部６１，６２の間に挟まれる既定位置関係を実現する。【選択図】図７
2015016262.tif 000002
【特許請求の範囲】
【請求項１】
完成時に、左右側面パーツの間に、棒状の第１パーツと、一対の棒状部を有する第２パーツと、前記第２パーツを支持する支持部とが組み付けられ、且つ、前記一対の棒状部が前記第１パーツを挟む既定位置関係となるように組み立てられる模型キットであって、
前記支持部は、係合部を有し、
前記左右側面パーツは、
前記第１パーツを既定位置に取り付けるための取付部と、
前記係合部と係合可能な被係合部と、
前記係合部が前記被係合部から離れた位置と前記被係合部に係合する位置との間をスライド移動可能に前記支持部を保持するスライド保持部と、
を有し
前記第２パーツを支持した状態の前記支持部を前記スライド保持部に保持させ、当該支持部をスライド移動して前記係合部を前記被係合部に係合させることで、前記一対の棒状部と前記第１パーツとが前記既定位置関係となる模型キット。
【請求項２】
前記スライド保持部は、前記第１パーツの長手方向と交差する方向に前記支持部をスライド移動可能に保持する、
請求項１に記載の模型キット。
【請求項３】
前記支持部は、前記スライド保持部によるスライド移動方向と交差する方向に複数の前記係合部を左右側面それぞれに有し、
前記左右側面パーツは、前記係合部それぞれに対応する前記被係合部を有する、
請求項１又は２に記載の模型キット。
【請求項４】
前記係合部は、凸形状を有し、
前記スライド保持部は、スライド移動方向に長い凹形状を有し、
前記被係合部は、前記スライド保持部の前記凹形状内に設けられている、
請求項１〜３の何れか一項に記載の模型キット。
【発明の詳細な説明】
【技術分野】
【０００１】
本発明は、模型キットに関する。
【背景技術】
【０００２】
模型キットのひとつであるプラスチックモデルキットの多くは、射出成形される。そのため、組み立て前のプラスチックモデルキットには、主たる樹脂の流路となるランナーと、複数のパーツと、ランナーとパーツを結ぶゲートとが一体に構成されている（例えば、特許文献１）。
【０００３】
なかには、プラスチックモデルキットに不慣れな初心者や年少者向けに、極めて組み立てが容易となるものも知られている（例えば、特許文献２）。
【先行技術文献】
【特許文献】
【０００４】
【特許文献１】特許第４４０６０４２号公報
【特許文献２】実公平８−７９１５号公報
【発明の概要】
【発明が解決しようとする課題】
【０００５】
特許文献１のプラスチックモデルキットでは、パーツをゲートとの接合部で切り離し、説明書の手順に従って組み立てることとなる。どのようにパーツを構成するかは、そのプラスチックモデルが目指すクオリティに影響する重要な要素である。例えば、コミックやアニメーション、ＳＦ等に登場するロボットや乗り物などのメカニカルなものをモチーフとするプラスチックモデルの場合、どのようにパーツを構成して細部、特に可動部分を作り込むかが重要になる。しかしながら、構造が複雑になればなるほど、また可動時の内部の見え方などにこだわればこだわるほど制約が増え、プラスチックモデルキットとしての可動部分の組み立てが不可能になる可能性が高まる。このため、完成品のプラスチックモデルとして当初予定していた複雑な構造を有する可動部分を忠実に再現できない場合があった。
【０００６】
本発明は、上述の事情を鑑み、複雑な立体構造であっても組み立てが可能になる模型キットの技術を提供することにある。
【課題を解決するための手段】
【０００７】
本発明の模型キットは、完成時に、左右側面パーツの間に、棒状の第１パーツと、一対の棒状部を有する第２パーツと、前記第２パーツを支持する支持部とが組み付けられ、且つ、前記一対の棒状部が前記第１パーツを挟む既定位置関係となるように組み立てられる模型キットであって、前記支持部は、係合部を有し、前記左右側面パーツは、前記第１パーツを既定位置に取り付けるための取付部と、前記係合部と係合可能な被係合部と、前記係合部が前記被係合部から離れた位置と前記被係合部に係合する位置との間をスライド移動可能に前記支持部を保持するスライド保持部と、を有し、前記第２パーツを支持した状態の前記支持部を前記スライド保持部に保持させ、当該支持部をスライド移動して前記係合部を前記被係合部に係合させることで、前記一対の棒状部と前記第１パーツとが前記既定位置関係となる。
【０００８】
本発明の模型キットにおいて、前記スライド保持部が、前記第１パーツの長手方向と交差する方向に前記支持部をスライド移動可能に保持することが好ましい。
【０００９】
本発明の模型キットにおいて、前記支持部が、前記スライド保持部によるスライド移動方向と交差する方向に複数の前記係合部を左右側面それぞれに有し、前記左右側面パーツは、前記係合部それぞれに対応する前記被係合部を有することが好ましい。
【００１０】
本発明の模型キットにおいて、前記係合部が、凸形状を有し、前記スライド保持部は、スライド移動方向に長い凹形状を有し、前記被係合部は、前記スライド保持部の前記凹形状内に設けられていることが好ましい。
【発明の効果】
【００１１】
本発明の模型キットによれば、複雑な立体構造であっても組み立てが可能になる模型キットの技術を提供することができる。
【図面の簡単な説明】
【００１２】
【図１】本発明を適用した模型キットの組み立て済み脚部の斜視外観図。
【図２】外装パーツの取り付け前の膝及び下腿部の内部構造例を示す分解図。
【図３】外装パーツの取り付け前の膝及び下腿部の内部構造例を示す組み付け状態図。
【図４】脚部の下腿部の組み立て手順の説明図。
【図５】脚部の下腿部の組み立て手順の説明図。
【図６】脚部の下腿部の組み立て手順の説明図。
【図７】脚部の下腿部の組み立て手順の説明図。
【図８】膝及び下腿部の内部構造の変形例を示す図。
【発明を実施するための形態】
【００１３】
図１は、本発明を適用した模型キットの組み立て済み脚部の斜視外観図である。脚部１０は、当該キットの完成形である人型ロボット２の脚部に相当する。
【００１４】
脚部１０の下腿は、内部構造と外装構造の２層構造となっている。図１のように組み立て済みになると膝の下方に部分的に内部構造が見える以外は外装パーツで覆われている。下腿部分の外装パーツには、膝外装１２と、下腿外側外装１４と、下腿内側外装１６と、下腿前側外装１８とが含まれる。これらの外装パーツは、組み立て手順の最後の方で組み付けられる。
【００１５】
図２は、外装パーツの取り付け前の膝及び下腿部の内部構造例を示す分解図である。図３は、同じく膝および下腿部の内部構造例を示す組み付け状態図である。なお、これらの図は、脚部１０をやや下方から見上げる状態の斜視図に相当する。また、図３では構成の理解を容易にするために意図的に一部のパーツ（右側面パーツ３２）を本来の組み付け完了位置から離して示している。
【００１６】
下腿の内部構造には、左側面パーツ３０と右側面パーツ３２との間に、膝外装１２が装着される膝関節部４０と、棒状の第１パーツ５０と、一対の棒状部を有する第２パーツ６０と、当該第２パーツ６０を支持する支持部７０と、が備えられている。なお、左側面パーツ３０と右側面パーツ３２とは外面の意匠は異なるが、合わせ面側すなわち内面側の構成は（嵌合部の構造を除けば）基本的に左右対称である。
【００１７】
第１パーツ５０は、人型ロボット２の設定上、脚部に係る加重を支えるとともに歩行時等のショックを緩和する機能を有した部位であり、オートバイや自転車等のサスペンションフォークのような部品がイメージされている。
【００１８】
本実施形態の模型では、人型ロボット２の膝及び下腿部は、可動構造の１つとされている。そして、人型ロボット２の設定に従って忠実に可動構造を再現するために、第１パーツ５０は、下端連結部５２で足部２０（図１）に対して揺動可能に連結され、つま先の上下動に連動して上下するように構成されている。そのために、第１パーツ５０の上部の左右側面には、第１突起５３が突設されており、左側面パーツ３０及び右側面パーツ３２の対向面側には、第１パーツを既定位置に取り付けるための取付部として溝状の第１取付部３４が設けられている。そして、第１パーツ５０の第１突起５３を、左側面パーツ３０及び右側面パーツ３２の第１取付部３４へ、左右に沿った第１方向Ｆ１から挿入・遊嵌する必要がある。組み付け後は、つま先を上下するように足部２０を動かすと、連結されている第１パーツ５０は、第１突起５３が第１取付部３４により案内されて上下方向に可動することとなる。
【００１９】
第２パーツ６０は、一対の棒状部６１，６２を上端連結部６３で連結させた逆Ｙ字型の構造体で左右対称形をしている。第２パーツ６０の下端は、支持部７０に連結され支持される。人型ロボット２の設定上、棒状部６１，６２は、動力や制御信号を伝えるケーブル等を内包した大型のチューブのような部品がイメージされている。また、本実施の形態において、棒状部６１，６２は、後述するように支持部７０によって一対の棒状部６１，６２が前方に移動することにより、既定位置に配置される。よって、本実施の形態において、第２パーツ６０は、支持部７０の押し出し動作に伴って湾曲可能な軟質の樹脂で作られることが好ましい。また、支持部７０は、そのチューブを通じて動力等を得て駆動するアクチュエータやその補機類がイメージされている。支持部７０もまた左右対称形である。よって、完成時これらは一体的に見えることが好ましい。
【００２０】
また、第２パーツ６０についても、人型ロボット２の設定を忠実に再現するように構成されている。具体的には、第２パーツ６０の一対の棒状部６１，６２は動力ケーブル等を保護するチューブを模擬しており、胴体内部から上腿内部へ、さらに膝内部を通って下腿へ至るように構成（設定）されている。こうした設定を再現するために、膝関節部４０には内部空間が設けられており、完成時には第２パーツ６０の上端は膝関節部４０の内部空間に挿入されるように構成される。また、そうした設定が可動時にも現れるように、膝関節部４０が屈曲位置／伸張位置に変位するのに伴って、膝関節部４０に対して上端位置が変位する構造となっている。より具体的には、上端連結部６３の左右側面にはそれぞれ第２突起６４が突設されており、膝関節部４０の左右内面に凹設された第２取付部４２に挿入・遊嵌される。こうした第２パーツ６０に係る構成を実現するためには、第２パーツ６０の上端部を膝関節部４０の前方斜め下からの第２方向Ｆ２から差し込みつつ、支持部７０を左側面パーツ３０及び右側面パーツ３２との間に組み付けなければならない。
【００２１】
さて、図３に示すように、完成時には、第２パーツ６０の一対の棒状部６１，６２が第１パーツ５０を挟む既定位置関係とならなければならない。ここは、人型ロボット２のデザインの重要なポイントであって、できるだけ忠実に再現することが望まれる箇所の１つである。
【００２２】
組み立て方法として、第２パーツ６０及び支持部７０を最初に右側面パーツ３２へ組み付けておいて、その後第１パーツ５０を棒状部６１，６２の間へ正面側から組み付ける方法が考えられる。しかし、第１パーツ５０の可動構造を実現するためには、第１パーツ５０を第１方向Ｆ１（図２参照）から組み付けねばならないが、完成時には第１パーツ５０は第２パーツ６０の棒状部６１，６２の間に挟まるようになる既定位置関係を実現しなければならない。つまり、この方法では第１パーツ５０を第１方向Ｆ１に組み付けようとすると、先に組み付けられている第２パーツ６０に干渉することとなり、組み付けできないことになる。
【００２３】
そこで、本実施形態の模型キットでは、第２パーツ６０を最初に組み付けるところまでは上述の方法と同じだが、最初の組み付け位置を、第１パーツ５０を第１方向Ｆ１からの組み付けに際して干渉しない「待避位置」とする。そして、第１パーツ５０を組み付けた後に、第２パーツ６０の組み付け位置をずらすことで、第１パーツ５０が棒状部６１，６２の間に位置する既定位置関係とする。
【００２４】
そのための構成として、
（１）支持部７０の左右側面それぞれに係合部７２が突設されている。
（２）左側面パーツ３０及び右側面パーツ３２は、係合部７２と係合可能な被係合部３６と、被係合部３６から離れた「待避位置」と被係合部３６に係合する「係合位置」との間を係合部７２がスライド移動可能に支持部７０を保持するスライド保持部３７と、を有する。
【００２５】
本実施形態では、係合部７２は横から見ると前方に開口する略Ｃ字状を成している凸形状部であって、左右側面にそれぞれ２つずつ、合計４つの係合部７２が設けられている。
【００２６】
スライド保持部３７は、係合部７２がスライド自在に遊嵌する第１パーツ５０の長手方向と交差する方向に長い凹形状部であって、支持部７０をスライド移動可能に保持する。本実施形態では、係合部７２それぞれに対応するように合計４つ設けられている。
【００２７】
被係合部３６は、スライド保持部３７の凹形状内に突設された突起であって、係合部７２の開口部と嵌着する寸法を有する。そして、係合部７２に対して１対１に対応するように、スライド保持部３７の長手方向一端寄りの位置に合計４つ設けられている。
【００２８】
［組み立て手順］
次に、組み立て手順について説明する。
図４〜図７は、脚部１０の下腿部の組み立て手順の説明図である。
＜手順１＞
図４に示すように、先ず左側面パーツ３０へ、膝外装１２を装着した膝関節部４０を組み付ける。膝関節部４０は、内部空間への開口部が前方に開いた状態で組み付けられており、前方斜め下から第２取付部４２が見えている。
【００２９】
＜手順２＞
図５に示すように、第２パーツ６０を支持した状態の支持部７０をスライド保持部３７に第２方向Ｆ２から組み付け保持させる。このとき、第２パーツ６０の上端は、膝関節部４０の内部空間へ差し込まれ、上端連結部６３の第２突起６４が膝関節部４０の第２取付部４２に組み付けされる。そして、支持部７０は、係合部７２がスライド保持部７３の後方側の「待避位置（第１ポジションＰ１）」に位置するように配置される。
【００３０】
＜手順３＞
次に図６に示すように、第１パーツ５０を、第１突起５３を第１取付部３４に係合させるようにして第１方向Ｆ１から組み付ける。第２パーツ６０及び支持部７０が「待避位置（第１ポジションＰ１）」に有ることで、その前方にはスペースが確保されており、組み付けられる第１パーツ５０と干渉することはない。
【００３１】
＜手順４＞
次いで、図７に示すように、支持部７０を「係合位置（第２ポジションＰ２）」へスライド移動させて係合部７２を被係合部３６に係合させる。これにより、支持部７０のスライド移動とともに一対の棒状部６１，６２が前方に回動及び押し込まれ、第１パーツ５０が一対の棒状部６１，６２の間に収まる既定位置関係となる。係合部７２と被係合部３６とが嵌着することで、支持部７０は係合位置に保持される。
【００３２】
そして、図７に脚部１０を取り付け、左側面パーツ３０へ右側面パーツ３２を組み付けると、脚部１０の下腿内部構造の組み立てが完了となる。
【００３３】
以上に示すような本実施形態の模型キットによれば、複雑な立体構造であっても組み立てが可能な模型キットを提供することができる。
【００３４】
従来の組立て模型において複雑な立体構造の場合、第１パーツと第２パーツとの完成時の既定位置関係を、「あるパーツを別のパーツに差し込んだり嵌め込んだり」だけの組み立て方法では実現できないことも起き得る。
【００３５】
しかし、本実施の形態に示すプラモデルキットによれば、第２パーツを支持する支持部をスライド自在にスライド保持部に保持させて第１のポジションに１次組み付け（仮組み付け）しておいて、その後（例えば第１パーツの組み付けの後）に、スライド移動させる２次組み付け（本組み付け）する複数段階の組み付け方法が可能である。
【００３６】
つまり、第１パーツに先行して組み付けられるパーツであって、且つ完成時に第１パーツの組み付け経路上に既定配置される第２パーツを、１次組み付けでは、第１パーツの組み付け経路上に第２パーツが位置しないように待避位置に置き、第１パーツの組み付け時に干渉しないようにする。そして、第１パーツの組み付け後に待避位置から既定位置関係をなす位置へ第２パーツを変位させる。これによって、「あるパーツを別のパーツに差し込んだり嵌め込んだり」だけの組み立て方法では実現できない複雑な立体構造でも、組み立てを可能とすることができる。
【００３７】
また、本実施の形態に示すプラモデルキットによれば、スライド保持部が、第１パーツの長手方向と交差する方向に支持部をスライド移動可能に保持可能であるため、第１パーツと第２パーツとが入り組んだような立体構造でも組み立てできるようになる。
【００３８】
また、本実施の形態に示すプラモデルキットによれば、支持部が、スライド保持部によるスライド移動方向と交差する方向に複数の係合部を左右側面それぞれに有し、左右側面パーツは、係合部それぞれに対応する被係合部を有するため、更に支持部をスライド移動後の位置に移動後の姿勢で安定させることができる。また、スライド移動する前の状態には戻りにくく、既定位置関係を安定的に維持することができる。
【００３９】
また、本実施の形態に示すプラモデルキットによれば、係合部が、凸形状を有し、スライド保持部は、スライド移動方向に長い凹形状を有し、被係合部は、スライド保持部の凹形状内に設けられているため、支持部をスライド保持部に案内する形状と、係合部と被係合部の係合とを簡易な構造で実現することができる。
【００４０】
〔変形例〕
なお、本発明の実施形態は上記に限るものではなく、構成要素を適宜追加・省略・変更することができる。
【００４１】
例えば、本発明が適用される部位は脚部に限らない。人型であれば上腕部や前腕部、首周りの構造などその他の部位の構造でも同様に適用できる。また、上記実施形態では人型ロボット２を組み立てる模型キットの例を挙げたが、完成した姿は人型ロボットに限らず、航空機や宇宙船などの乗り物、建築物、武器など適宜設定可能である。
【００４２】
また、上記実施形態では係合部７２と被係合部３６を合計４つ設けたが、その数は適宜変更可能である。上記実施形態では支持部７０は非可動要素としたので、複数設けることで積極的に係合位置での固定を安定化させているが、もし支持部７０を可動要素とする場合には、例えば図８に示すように、係合部７２と被係合部３６を１つのみ、或いは左右一対のみとして、被係合部３６を揺動軸として利用可能な構成とすることもできる。
【００４３】
また、第２パーツ６０と支持部７０とは、一体成形された１つのパーツで実現するとしてもよい。この場合、第２パーツ６０と支持部７０とは同じものと見なすことができる。
【符号の説明】
【００４４】
２…人型ロボット、１０…脚部、１２…膝外装、１４…下腿外側外装、１６…下腿内側外装、１８…下腿前側外装、２０…足部、３０…左側面パーツ、３２…右側面パーツ、３４…第１取付部、３６…被係合部、３７…スライド保持部、４０…膝関節部、４２…第２取付部、５０…第１パーツ、５２…下端連結部、５３…第１突起、６０…第２パーツ、６１…棒状部、６３…上端連結部、６４…第２突起、７０…支持部、７２…係合部、７３…スライド保持部、Ｆ１…第１方向、Ｆ２…第２方向、Ｐ１…第１ポジション（待避位置）、Ｐ２…第２ポジション（係合位置）
【図１】
2015016262.tif 000003
【図２】
2015016262.tif 000004
【図３】
2015016262.tif 000005
【図４】
2015016262.tif 000006
【図５】
2015016262.tif 000007
【図６】
2015016262.tif 000008
【図７】
2015016262.tif 000009
【図８】
2015016262.tif 000010